(57)【要約】【課題】  個々の反射面の構造を射出成形及び蒸着し易いシンプル構造にしながらも、高い電飾効果を実現し得るように構成した遊技機を提供する。【解決手段】  可動電飾装置８Ａが、湾曲状の反射面４５ａ，４６ａを有する反射部材４５，４６を一軸状に配列して備えることで、従来のような断面ノコギリ歯状の反射面を不要としながらも、電飾ランプ４７の光を反射面４５ａ，４６ａで前扉前方に反射させつつ、２つの反射部材４５，４６の群を共通の回動支軸４４，４３を中心に相対回動させ、より変化のある多様な電飾効果を実現させる。【選択図】      図２
2007000547.tif 000002
【特許請求の範囲】
【請求項１】
枠体状の筐体と、遊技盤を支持した形で前記筐体に開閉可能に支持される前扉とを備え、前記遊技盤の遊技領域に遊技球を打ち出して遊技する遊技機において、
前記前扉に電飾装置を備え、
前記電飾装置は、それぞれに湾曲状の反射面を有し且つ軸を中心に相対回動可能に一軸状に配列された少なくとも２群の反射部材と、該反射部材のそれぞれに対応する複数の発光体とを備え、該発光体の発光駆動状態にて前記反射部材が回動動作してなる、
ことを特徴とする遊技機。
【請求項２】
前記各発光体は、前記複数の反射部材にそれぞれ一体的に配設されてなる、
ことを特徴とする請求項１に記載の遊技機。
【請求項３】
前記各発光体は、前記複数の反射部材の各対向位置にそれぞれ配設されてなる、
ことを特徴とする請求項１に記載の遊技機。
【請求項４】
枠体状の筐体と、遊技盤を支持した形で前記筐体に開閉可能に支持される前扉とを備え、前記遊技盤の遊技領域に遊技球を打ち出して遊技する遊技機において、
前記前扉に電飾装置を備え、
前記電飾装置は、一方向に延びる１つの湾曲状反射面を有する反射部材と、該反射部材の長手方向に沿って設けられた発光体とを備え、該発光体が発光状態にて前記湾曲状反射面に対して移動してなる、
ことを特徴とする遊技機。
【請求項５】
枠体状の筐体と、遊技盤を支持した形で前記筐体に開閉可能に支持される前扉とを備え、前記遊技盤の遊技領域に遊技球を打ち出して遊技する遊技機において、
前記前扉に電飾装置を備え、
前記電飾装置は、一方向に延びる１つの湾曲状反射面を有する反射部材と、該反射部材の長手方向に沿って設けられた発光体とを備え、発光状態の該発光体と前記湾曲状反射面とが相対移動するように構成されてなる、
ことを特徴とする遊技機。
【請求項６】
枠体状の筐体と、遊技盤を支持した形で前記筐体に開閉可能に支持される前扉とを備え、前記遊技盤の遊技領域に遊技球を打ち出して遊技する遊技機において、
前記前扉に電飾装置を備え、
前記電飾装置は、軸方向に延びる１つの湾曲状反射面を有する反射部材と、該反射部材の前記軸方向に沿うように前記湾曲状反射面に固定された発光体とを備え、該発光体の発光駆動状態にて前記反射部材が軸を中心に回動してなる、
ことを特徴とする遊技機。
【発明の詳細な説明】
【技術分野】
【０００１】
本発明は、パチンコ機等の遊技機に係り、詳しくは光を反射部材で反射させて遊技機前側に照射するように構成した遊技機に関する。
【背景技術】
【０００２】
一般に、遊技機、例えばパチンコ機として、球受け皿に滞留している遊技球が、発射ハンドルの操作に応じて遊技盤の遊技領域に打ち出された後、遊技領域の障害釘や風車等に導かれつつ盤面を流下して、各種入賞口に入球し、或いは入球せずに遊技領域下部のアウト口に流入するように構成されたものが知られている（例えば、特許文献１参照）。
【０００３】
このようなパチンコ機では、一般入賞口に入球した際にそれに対応した個数の遊技球が払い出され、また始動チャッカーに入球した際にはこれに基づいて大当たり抽選が行われると共に所定数の遊技球が払い出され、当該抽選の結果に応じて、遊技領域の中央部分に設けられた液晶等の図柄表示装置の画面上で所定の演出表示が行われる。大当たりの発生時には、アタッカーと呼ばれる大入賞口が開放し、入球に対応して多量の遊技球が払い出される状態となる。
【０００４】
上述のようなパチンコ機において、多数のＬＥＤと、それらＬＥＤからの光を反射させる断面ノコギリ歯状の可動反射板と、この可動反射板をＬＥＤに対して回動させて反射面の角度を変更させるモータと、可動反射板の前側に配設され、反射した反射光の照射位置を該可動反射板の移動に伴って変化させるレンズ部材とを備えるものが知られている（例えば、特許文献２参照）。
【０００５】
【特許文献１】特開２００３−２３６２１０号公報
【特許文献２】特開２００２−２８２４３６号公報
【発明の開示】
【発明が解決しようとする課題】
【０００６】
ところで、上記特許文献２に記載されるようなパチンコ機によると、可動反射板の回動で発光体に対する各反射面の位置を大きく変化させ、連続する２つの反射面の接続部で反射角度を急激に変化させる電飾効果は実現できる。しかしながら、そのような電飾効果を得るための可動反射板は、複数の反射面を鈍角状に交差させる断面ノコギリ歯状という、複雑で作製し難い構造を有するため、プラスチック材料等を用いる射出成形工程の精度をより高めなければならなくなったり、その後の蒸着工程で、複雑な断面ノコギリ歯状の反射面をむら無くメッキしなければならなくなったりと、必要な工程が煩雑になり、それに伴うコストアップも招来する虞がある。
【０００７】
そこで本発明は、個々の反射面の構造を射出成形及び蒸着し易いシンプル構造にしながらも、高い電飾効果を実現し得るように構成し、もって上述した課題を解決した遊技機を提供することを目的とするものである。
【課題を解決するための手段】
【０００８】
請求項１に係る本発明は（例えば図１ないし図１６参照）、枠体状の筐体（６）と、遊技盤（３）を支持した形で前記筐体（６）に開閉可能に支持される前扉（７）とを備え、前記遊技盤（３）の遊技領域（３ａ）に遊技球（Ｂａ）を打ち出して遊技する遊技機（１）において、
前記前扉（７）に電飾装置（８Ａ，８Ｂ，８Ｃ）を備え、
前記電飾装置（８Ａ，８Ｂ，８Ｃ）は、それぞれに湾曲状の反射面（４５ａ，４６ａ）を有し且つ軸（４３，４４、又はＡ）を中心に相対回動可能に一軸状に配列された少なくとも２群の反射部材（４５，４６）と、該反射部材（４５，４６）のそれぞれに対応する複数の発光体（４７，９６）とを備え、該発光体（４７，９６）の発光駆動状態にて前記反射部材（４５，４６）が回動動作してなる、
ことを特徴とする遊技機（１）にある。
【０００９】
なお、本発明における上記「一軸状」は、共通の軸上にて軸方向距離を異ならせた形で順次配設された状態を意味する概念である。
【００１０】
また、本発明に係る遊技機は、少なくとも、始動入賞口への入賞を契機とした大当たり抽選に当選した際に、通常は閉塞しているアタッカーを開放させ、所定時間が経過した時点又は所定個数の遊技球がアタッカーに入賞した時点で閉塞させる動作を所定ラウンド数だけ繰り返し行う構成の所謂第１種特別電動役物と、遊技領域に始動入賞口と該始動入賞口への入賞に基づいて開閉する特定領域を含んだ特別入賞装置とを有し、該特別入賞装置の開放中に遊技球が入球し、更に当該遊技球が特定領域に入賞した時点で大当たりを発生させる構成の所謂第２種特別電動役物と、遊技領域に備えた所謂オープンチャッカーへの入賞時に開放した電動式チューリップへの入球後の特定入賞口への入賞にて大当たりの権利を発生させる構成の所謂第３種特別電動役物とに適用可能である。
【００１１】
請求項２に係る本発明は（例えば図１、図２、図６ないし図８参照）、前記各発光体（４７）が、前記複数の反射部材（４５，４６）にそれぞれ一体的に配設されてなる、
ことを特徴とする請求項１に記載の遊技機（１）にある。
【００１２】
請求項３に係る本発明は（例えば図１１及び図１２参照）、前記各発光体（９６）が、前記複数の反射部材（４５，４６）の各対向位置にそれぞれ配設されてなる、
ことを特徴とする請求項１に記載の遊技機（１）にある。
【００１３】
請求項４に係る本発明は（例えば図１３及び図１４参照）、枠体状の筐体（６）と、遊技盤（３）を支持した形で前記筐体（６）に開閉可能に支持される前扉（７）とを備え、前記遊技盤（３）の遊技領域（３ａ）に遊技球（Ｂａ）を打ち出して遊技する遊技機（１）において、
前記前扉（７）に電飾装置（８Ｄ）を備え、
前記電飾装置（８Ｄ）は、一方向に延びる１つの湾曲状反射面（６１ａ）を有する反射部材（６１）と、該反射部材（６１）の長手方向に沿って設けられた発光体（９６）とを備え、該発光体（９６）が発光状態にて前記湾曲状反射面（６１ａ）に対して移動してなる、
ことを特徴とする遊技機（１）にある。
【００１４】
請求項５に係る本発明は（例えば図１５参照）、枠体状の筐体（６）と、遊技盤（３）を支持した形で前記筐体（６）に開閉可能に支持される前扉（６）とを備え、前記遊技盤（３）の遊技領域（３ａ）に遊技球（Ｂａ）を打ち出して遊技する遊技機（１）において、
前記前扉（６）に電飾装置（８Ｅ）を備え、
前記電飾装置（８Ｅ）は、一方向に延びる１つの湾曲状反射面（６１ａ）を有する反射部材（６１）と、該反射部材（６１）の長手方向に沿って設けられた発光体（９６）とを備え、発光状態の該発光体（９６）と前記湾曲状反射面（６１ａ）とが相対移動するように構成されてなる、
ことを特徴とする遊技機（１）にある。
【００１５】
請求項６に係る本発明は（例えば図１５及び図１６参照）、枠体状の筐体（６）と、遊技盤（３）を支持した形で前記筐体（６）に開閉可能に支持される前扉（７）とを備え、前記遊技盤（３）の遊技領域（３ａ）に遊技球（Ｂａ）を打ち出して遊技する遊技機（１）において、
前記前扉（７）に電飾装置（８Ｆ）を備え、
前記電飾装置（８Ｆ）は、軸方向に延びる１つの湾曲状反射面（１０１ａ）を有する反射部材（１０１）と、該反射部材（１０１）の前記軸方向に沿うように前記湾曲状反射面（１０１ａ）に固定された発光体（６３）とを備え、該発光体（６３）の発光駆動状態にて前記反射部材（１０１）が軸（６６）を中心に回動してなる、
ことを特徴とする遊技機（１）にある。
【００１６】
なお、上記カッコ内の符号は、図面と対照するためのものであるが、これは、発明の理解を容易にするための便宜的なものであり、特許請求の範囲の記載に何等影響を及ぼすものではない。
【発明の効果】
【００１７】
請求項１に係る本発明によると、それぞれに湾曲状の反射面を有する複数の反射部材を一軸状に配列して備えるので、従来のような断面ノコギリ歯状の反射面を不要としながらも、発光体を発光した状態で、少なくとも２つの反射部材群が共通の軸を中心に相対回動することにより、遊技者にとってより変化のある多様な電飾効果を実現することができる。そして、断面ノコギリ歯状の反射面が不要になったことで、プラスチック材料等を用いる射出成形が、従来に比して適度の精度の比較例簡略な工程で足りることとなる。更に、その後の蒸着工程においても、湾曲状の反射面をむら無くメッキする工程が簡略になり、従って、製造工程を簡素化しコストダウンを図ることができる。
【００１８】
請求項２に係る本発明によると、各発光体が複数の反射部材にそれぞれ一体的に配設されるので、発光体を一体的に有する反射部材を単に回動動作させるだけで、変化のある多様な電飾効果を実現することができ、従って、電飾装置全体の作動を簡素化できると共に、発光体と反射部材とを別体にした場合に比して設置スペースを節約し、電飾装置のコンパクト化に寄与することができる。
【００１９】
請求項３に係る本発明によると、各発光体が複数の反射部材の各対向位置にそれぞれ配設されるので、発光体が可動しないことにより、発光体に接続されるべき電気的接続ケーブル（ハーネス）の配設構造がよりシンプルとなり、接続ケーブルの捻れ等に起因する不都合の発生を減少することができる。
【００２０】
請求項４に係る本発明によると、一方向に延びる１つの湾曲状反射面を有する反射部材を備えるので、従来のような断面ノコギリ歯状の反射面を不要としながらも、反射部材の軸方向に沿って設けられた発光体を発光させつつ反射面に対し移動させることができ、より変化のある多様な電飾効果が実現できる。そして、断面ノコギリ歯状の反射面が不要になったことで、プラスチック材料等を用いる射出成形が、従来に比して適度の精度の比較例簡略な工程で足りることとなる。更に、その後の蒸着工程においても、湾曲状の反射面をむら無くメッキする工程が簡略になり、従って、製造工程を簡素化しコストダウンを図ることができる。
【００２１】
請求項５に係る本発明によると、一方向に延びる１つの湾曲状反射面を有する反射部材を備えるので、従来のような断面ノコギリ歯状の反射面を不要としながらも、反射部材の軸方向に沿って設けられた発光体を発光させつつ反射面に対し移動させることができ、より変化のある多様な電飾効果が実現できる。そして、断面ノコギリ歯状の反射面が不要になったことで、プラスチック材料等を用いる射出成形が、従来に比して適度の精度の比較的簡略な工程で足りることとなる。更に、その後の蒸着工程においても、湾曲状の反射面をむら無くメッキする工程が簡略になり、従って、製造工程を簡素化しコストダウンを図ることができる。しかも、発光状態の発光体と湾曲状反射面とが相対的に移動するので、互いの動作の組み合わせ方によって極めて新奇で興趣の高い電飾効果を実現することが可能になる。
【００２２】
請求項６に係る本発明によると、軸方向に延びる１つの湾曲状反射面を有する反射部材を備えるので、従来のような断面ノコギリ歯状の反射面を不要としながらも、反射部材の軸方向に沿うように湾曲状反射面に固定された発光体を発光させつつ反射部材を回動動作させることができ、より変化のある多様な電飾効果を実現することができる。そして、断面ノコギリ歯状の反射面が不要になったことで、プラスチック材料等を用いる射出成形が、従来に比して適度の精度の比較的簡略な工程で足りることとなる。更に、その後の蒸着工程においても、湾曲状の反射面をむら無くメッキする工程が簡略になり、従って、製造工程を簡素化しコストダウンを図ることができる。
【発明を実施するための最良の形態】
【００２３】
以下、本発明に係る遊技機の実施形態として、遊技場等に設置されるパチンコ機を図面に沿って説明する。なお、後述する各実施の形態では、本発明の遊技機を所謂第１種特別電動役物を使用したパチンコ機として述べるが、本発明はこれに限らず、所謂第２種特別電動役物や所謂第３種特別電動役物等を使用したパチンコ機にも適用可能であることは勿論である。
【００２４】
＜第１の実施の形態＞
図１は、本発明に係る第１の実施の形態におけるパチンコ機１の外部構造を示す正面図である。本パチンコ機１は、同図に示すように、発射ハンドル２の操作による発射装置（図示せず）の作動で遊技球（所謂パチンコ玉）を遊技盤３の遊技領域３ａに向かって打ち出しつつ遊技を行うもので、所謂確率変動等の大当たりが発生した状態でアタッカー５に入球した遊技球に対応する数の遊技球を払い出すように構成されている。上記確率変動当たり（「確変当たり」とも言う）とは、抽選の結果、確変モードの大当たりが当選したとき、少なくとも当該確変モードによる遊技状態において次なる大当たりを引くまでの間、遊技者に有利な付加価値を付与し得る特殊状態を意味する。これに対し、当該特殊状態にならない大当たりとして「通常当たり」がある。
【００２５】
本パチンコ機１は、開口を有する枠体状の筐体６と、遊技盤３を支持した形で筐体６に開閉可能に支持された前扉７とを有しており、前扉７の前面には、透明ガラス９を有するガラス枠１０が開閉可能に取り付けられている。透明ガラス９の奥側には、遊技盤３が配設されている。前扉７における遊技盤３の左右には演出用照明装置１１が配設されており、前扉７における上部左右、及び下部の皿ユニット１６の左右にはそれぞれ、スピーカ（図示せず）を有する放音装置１２が配設されている。そして、前扉７の上部における放音装置１２の間には、可動電飾装置８Ａが配設されている。
【００２６】
また、ガラス枠１０における中央部右方には、前扉７を筐体６側に施錠又は解放し、或いは、ガラス枠１０を前扉７側に施錠又は解放するための施錠装置１３が配設されている。なお、図１中の符号１４は、不図示の発射装置によって打ち出された遊技球を遊技盤３側に案内するガイドレールを示している。本パチンコ機１には、遊技中に遊技領域３ａにて入賞することなく落下してアウト口（図示せず）に進入した遊技球をパチンコ機背面側に導くアウト球通路（図示せず）が設けられている。
【００２７】
そして、前扉７における下部中央には皿ユニット１６が設けられており、皿ユニット１６における右上部には、賞球及び貸球を含む遊技球が供給される球供給口１７が設けられ、皿ユニット１６における右上部壁面には、球貸ボタン１９ａ及びプリペイドカード返却ボタン１９ｂが設けられている。皿ユニット１６の中央左部には、該皿ユニット１６上の遊技球を球発射装置（図示せず）付近から皿ユニット下部の球排出口（図示せず）を通して下方に排出するための第１球抜きボタン２０ａが配設されており、皿ユニット１６の中央下部には、皿ユニット１６上の遊技球を球供給口１７付近から上記球排出口を通して下方に排出するための第２球抜きボタン２０ｂが配設されている。
【００２８】
また、前扉７における皿ユニット１６の右方下部には、上記球発射装置を操作して遊技球を遊技盤３に向けて打ち出すための発射ハンドル２が設けられている。更に、皿ユニット１６の下部左方には、灰皿２１と遊技者参加ボタン２２とが配設されている。この遊技者参加ボタン２２の左右には、選択ボタン１８ａ，１８ｂがそれぞれ配設されている。
【００２９】
また、遊技領域３ａの中央部分には、遊技球ステージＳを有するセンター飾り２３が配設されている。センター飾り２３の左右下方には、それぞれ大当たり抽選に寄与しない一般の入賞が行われる入賞口２５，２６が配設されており、センター飾り２３の直下方には、始動チャッカー２７と、アタッカー５とが順次配設されている。
【００３０】
始動チャッカー２７は、大当たり抽選実行の契機となり得る入賞が行われるものであり、開放位置と閉止位置とに開閉動作するように始動チャッカー開閉ソレノイド１１４（図４参照）によって作動させられる。始動チャッカー２７の直上方には、所謂命釘としての一対の障害釘３０が打ち込まれている。
【００３１】
アタッカー５は、大当たり発生時に開放され、遊技盤３の遊技領域３ａに打ち出されて転動落下する遊技球を入賞させるものであり、大当たり発生中、例えば、１回の開放で１０個の入球を完了した時点で閉じ、当該開閉動作を１５回繰り返すように構成される。なお、これらの入球数並びに開閉動作の回数は、１０個や１５回に限定されることはなく、必要に応じて適宜設定され得るものである。
【００３２】
遊技領域３ａには、センター飾り２３の左右上方及び左右下方にそれぞれ風車３１が配設されており、遊技球ステージＳの下方における始動チャッカー２７の左側には、スルーゲート３２が配設されている。このスルーゲート３２は、始動チャッカー２７を開閉動作させるための抽選の契機となる遊技球通過が行われる役物である。
【００３３】
遊技領域３ａにおけるスルーゲート３２、入賞口２５，２６及び始動チャッカー２７等の周囲には、遊技球ステージＳから零れた遊技球や、発射されてから遊技球ステージＳに関与せずに落下してくる遊技球を適宜散らし、或いは入球に導くようにするための障害釘３３を含む多数の障害釘が打ち込まれている。
【００３４】
上記センター飾り２３は、遊技盤３側に固定された図柄表示装置３５を露出する開口３６を中央部に、ワープ導入口３７を左上部に、該ワープ導入口３７に連通する放出口６７を左上部に、遊技球ステージＳを開口３６の下側に、球放出口４９を該ステージＳの中央下部にそれぞれ有している。また、ワープ導入口３７の対向位置には、一対の障害釘３９が打ち込まれている。ワープ導入口３７の周囲や上方側にも、遊技球を適宜散らし、或いは入球に導くようにするための多数の障害釘（図示せず）が打ち込まれている。このような本パチンコ機１では、遊技領域３ａに打ち出された遊技球Ｂａを始動チャッカー２７等に、遊技球ステージＳを介して入球させ又は遊技球ステージＳを介さず直接入球させ得るように遊技が進められる。
【００３５】
なお、上記「ワープ導入」という語句は、遊技領域３ａに打ち出された遊技球を、当該遊技領域３ａの比較的下側に位置する不図示の道釘等を経ることなく、始動チャッカー２７の上に導くことを意味する概念である。また、上記「道釘」とは、遊技領域３ａにおいて始動チャッカー２７左右に打ち込まれた複数本の障害釘（図示せず）の列を意味するもので、上方から転動落下してきた遊技球を始動チャッカー２７方向に導く役割を担っている。
【００３６】
次に、可動電飾装置８Ａについて、図１ないし図３を参照して詳細に説明する。なお、図２は可動電飾装置８Ａを前扉７から取り外した状態で示す斜視図、図３は軸と反射部材４５，４６との接合関係を示す正面断面図である。
【００３７】
すなわち、可動電飾装置８Ａは、図１に示すように、前扉７の上部中央に、透明カバー４１によって前面を覆われた状態で配設されており、この前扉上部中央に装着されたカバー部８ａを備えている。カバー部８ａの前部に位置する上記透明カバー４１の内方には、３個の反射部材４５及び２個の反射部材４６が配置されている。これら反射部材４５，４６の後述する反射面４５ａ，４６ａの中央部分には、発光ダイオード（以下、ＬＥＤと称する）のような指向性がない電飾ランプ４７がそれぞれ装着されている。なお、本実施形態では、反射部材４５，４６を合計５個、電飾ランプ４７を５個備えるが、これらの個数や、後述する他の実施形態における反射部材及び発光体の個数は、設計に応じて適宜変更し得るものである。
【００３８】
図２及び図３に示すように、上記３個の反射部材４５は、それぞれの前側に、前扉７の上下方向にて湾曲する反射面４５ａが形成された本体４５ｂを備え、これら本体４５ｂは、横方向（図２及び図３の紙面左右方向）に貫通する貫通孔４５ｃを備えている。また、２個の反射部材４６は、それぞれの前側に、前扉７の上下方向にて湾曲する反射面４６ａが形成された本体４６ｂを備え、これら本体４６ｂは、横方向（図２及び図３の紙面左右方向）に貫通する貫通孔４６ｃを備えている。
【００３９】
可動電飾装置８Ａは、透明カバー４１の内方に、図２及び図３の紙面左右方向に延在する入れ子状の回動支軸４３，４４を有している。回動支軸４４は、中空状の軸であり、回動支軸４３は、回動支軸４４より若干細い（小径の）中実状に形成されて、回動支軸４４内に回動自在に嵌挿されている。回動支軸４３を内包する回動支軸４４の外周面には、上述した３個の反射部材４５と２個の反射部材４６とが交互に貫通孔４５ｃ，４６ｃを被嵌させている。これにより、３個の反射部材４５と２個の反射部材４６とは、回動支軸４３，４４を中心に相対回動し得るように交互に且つ一軸状に配列されている。
【００４０】
３個の反射部材４５は、いずれも回動支軸４４の外周面に固定されている。２個の反射部材４６はいずれも、回動支軸４４の外周面との間に僅かな隙間４６ｃを空けて回動自在に支持された状態で、回動支軸４４に形成された開口部４４ａを貫通した連結部材２９を介して回動支軸４３に連結されている。開口部４４ａ，４４ａは、回動支軸４４における２個の反射部材４６の各内周面と対向する位置にて、軸方向と直交する方向に所定角度（例えば８０゜〜１５０゜）の範囲内で貫通穿設されている。これらの構成により、回動支軸４３と回動支軸４４とが個々に回動する際、各軸側に連結された３個の反射部材４５の群と２個の反射部材４６の群とが交互に回動することができる。
【００４１】
回動支軸４３，４４は、上述のように一端部同士が入れ子状に嵌合していると共に、他端部同士が、軸受４２ａ，４２ｂによってそれぞれ回転自在に支持されている。回動支軸４３の他端部には、軸受４２ａの外側にてギヤ５６が固定されており、該ギヤ５６の近傍には、駆動モータ５５が配設されている。駆動モータ５５の回転軸には、ピニオン５４が固定されており、このピニオン５４がギヤ５６に噛合して、駆動モータ５５の回転を回動支軸４３に伝達する。ギヤ５６の外周側には、該ギヤ５６の外周縁部を挟むように対向する投光素子と受光素子とからなるフォトインタラプタ５７が配設されている。また、ギヤ５６の外周縁部近傍には、反射部材４６の回動角度との所定の関係を保持し得る位置に貫通孔５６ａ，５６ｂが貫通穿設されており、これら貫通孔５６ａ，５６ｂと上記フォトインタラプタ５７とによって、反射部材４６の回動位置を検出する回動位置検出装置７０（図４も併せて参照）が構成されている。
【００４２】
一方、回動支軸４４の他端部には、軸受４２ｂの外側にてギヤ５０が固定されており、該ギヤ５０の近傍には、駆動モータ５３が配設されている。駆動モータ５３の回転軸には、ピニオン５２が固定されており、このピニオン５２がギヤ５０に噛合して、駆動モータ５３の回転を回動支軸４４に伝達する。ギヤ５０の外周側には、該ギヤ５０の外周縁部を挟むように対向する投光素子と受光素子とからなるフォトインタラプタ５１が配設されている。また、ギヤ５０の外周縁部近傍には、反射部材４５の回動角度との所定の関係を保持し得る位置に貫通孔５０ａ，５０ｂが貫通穿設されており、これら貫通孔５０ａ，５０ｂと上記フォトインタラプタ５１とによって、反射部材４５の回動位置を検出する回動位置検出装置７１（図４も併せて参照）が構成されている。なお、図２中の符号５７ａは、フォトインタラプタ５７から信号を取り出す接続ケーブルを示し、符号５１ａは、フォトインタラプタ５１から信号を取り出す接続ケーブルを示している。
【００４３】
上記構成を有する可動電飾装置８Ａでは、駆動モータ５５，５３が演出制御手段１１６（図４参照）の制御に従って駆動されると、回動支軸４４と回動支軸４３とが交互に所定角度（例えば４０°〜７５°の範囲内）ずつ相対回動するので、回動支軸４４に固定された３個の反射部材４５と、それら反射部材４５間に配設された２個の反射部材４６とが所定角度ずつ相対回動することになる。
【００４４】
次に、本実施形態におけるパチンコ機１の制御系を図４に沿って説明する。なお、同図は本パチンコ機の制御系を示すブロック図である。
【００４５】
すなわち、本制御系は、主基板（主制御基板）７３と、この主基板７３に接続されたサブ基板（サブ制御基板）７４とを備えている。主基板７３は、本パチンコ機１の作動を統括的に管理・制御するものであり、当該パチンコ機１の動作全体を管理するシステムプログラム及び遊技用の実行プログラムが予め記憶された半導体メモリ等からなる記憶部（図示せず）と、これらのプログラムを実行する不図示のマイクロプロセッサ（ＭＰＵ）とを備えている。
【００４６】
主基板７３は、入賞判定手段１０５、入賞信号出力手段１０６、第１抽選手段１０７、第２抽選手段１０８、遊技制御手段１０９、保留手段１１０、作動制御手段１１１、作動判定手段１１２、及び作動決定手段１１３を備えている。また主基板７３には、始動チャッカー開閉ソレノイド１１４及びアタッカー開閉ソレノイド１１５が接続されている。
【００４７】
入賞判定手段１０５は、発射ハンドル２の操作で作動する発射装置（図示せず）によって遊技領域３ａに打ち出された遊技球が始動チャッカー２７、入賞口２５，２６、アタッカー５等の何れかに入賞したとき、当該入賞があった旨を判定する。
【００４８】
入賞信号出力手段１０６は、入賞判定手段１０５によって入賞が判定されたとき、対応する始動チャッカー２７、入賞口２５，２６、アタッカー５等に入賞した旨の入賞信号を出力する。
【００４９】
第１抽選手段１０７は、入賞信号出力手段１０６からの入賞信号の入力時、最大保留球数（例えば４個）未満での入賞を契機として、次なる大当たりを当選させるまで遊技者に有利な付加価値を付与し得る特殊状態となる確率変動当たり、及び上記特殊状態とならない通常当たりのうちの何れか一方に当選するように、不図示の抽選用メモリから当たり当選乱数値を取得して、大当たり抽選を実行する。
【００５０】
第２抽選手段１０８は、第１抽選手段１０７での大当たり抽選で確変当たりに当選した場合、不図示の演出用メモリに格納された演出乱数値に基づく抽選で、変動の結果、確変当たりに対応する「１１１」、「３３３」や「７７７」等の図柄が図柄表示装置３５の大当たり有効ライン上で最終的に揃う旨の変動パターンを決定し、その旨の変動パターン信号を出力する。なお、上記「大当たり有効ライン」は、大当たりを得るため図柄が一列に並ぶべき位置（ライン）を意味する。第２抽選手段１０８はまた、第１抽選手段１０７での大当たり抽選で通常当たりが当選した場合、演出乱数値に基づく抽選で、変動の結果、通常当たりに対応する「２２２」、「４４４」や「８８８」等の図柄が大当たり有効ライン上で最終的に揃う旨の変動パターンを決定し、その変動パターン信号を出力する。第２抽選手段１０８は更に、第１抽選手段１０７での大当たり抽選で外れた場合、演出乱数値に基づく抽選で、変動の結果、外れに対応する「２５２」、「４６４」や「８３８」等の図柄が大当たり有効ライン上で最終的に揃う旨の変動パターンを決定し、その変動パターン信号を出力する。
【００５１】
遊技制御手段１０９は、放音装置１２、演出用照明装置１１、可動電飾装置８Ａに放音、発光の演出をさせる契機となる指令を、サブ基板７４の演出制御手段１１６に送信する。
【００５２】
演出制御手段１１６は、表示制御手段１１８の制御により図柄表示装置３５の画面で繰り広げられるリーチ演出において、大当たり有効ライン上に並んだ２つの同じ図柄に向かって、残り１つの同じ図柄が接近する表示時に、可動電飾装置８Ａの駆動モータ５５，５３を作動させ且つ電飾ランプ４７を強く（輝度を高く）発光させて、リーチ演出に合わせて電飾効果を高めるように制御する。その際、演出制御手段１１６は、ギヤ５６の貫通孔５６ａ，５６ｂをフォトインタラプタ５７で検知しつつ回動・停止・反転すべき位置を検出する回動位置検出装置７０からの信号と、ギヤ５０の貫通孔５０ａ，５０ｂをフォトインタラプタ５１で検知しつつ回動・停止・反転すべき位置を検出する回動位置検出装置７１からの信号とに基づき、駆動モータ５５，５３を適正に正・逆方向に回動制御する。そして、図柄表示装置３５の画面では、残り１つの同じ図柄が大当たり有効ライン上に揃うような熱い演出がなされ、その際、第１抽選手段１０７でなされた大当たり抽選に当選している場合は、残り１つの同じ図柄が大当たり有効ライン上に揃って大当たりが発生することとなる。なお、可動電飾装置８Ａの上記制御は、リーチ演出の全てにおいて行われるわけではなく、予め用意された演出用乱数を用いた抽選に当選した際に発生する。
【００５３】
なお、本実施の形態では、演出制御手段１１６の制御による上述の電飾演出を実行するまでは可動電飾装置８Ａは発光させないように構成しているが、これ以外にも、例えば、上述の電飾演出を実行するまでの間、可動電飾装置８Ａを、他の演出用照明装置１１と同様に、演出とは特に関係の無い単なる演出照明装置として発光させておくことも可能である。
【００５４】
また遊技制御手段１０９は、予め設定された演出データや、第１抽選手段１０７、第２抽選手段１０８での抽選結果に応じて、図柄表示装置３５に表示すべき演出内容に関する信号を、サブ基板７４の表示制御手段１１８に送信する。遊技制御手段１０９は、例えば、保留手段１１０の保留内容を参照し、図柄表示装置３５上で大当たり図柄が最終的に揃うような演出、或いは、大当たり図柄が最終的に外れるような演出を行うための信号を表示制御手段１１８に送信する。
【００５５】
保留手段１１０は、第２抽選手段１０８から出力された変動パターン信号を入力し、始動チャッカー２７への入賞の都度に行われた抽選の結果となる保留球として順次記憶する。当該記憶状況は、大当たり抽選保留表示装置（図示せず）に、最大４個の保留球として点灯表示される。なお、保留球として点灯表示される保留球数は上記「最大４個」に限らず、例えば３個以下、又は５個以上として適宜設定することも可能である。
【００５６】
そして保留手段１１０は、保留（記憶）している変動パターン信号を順次出力し、この出力した変動パターン信号に基づく演出表示が終了するまでは次の変動パターン信号を出力しないようにするための図柄変動禁止フラグを立てる（オンする）と共に、当該オンした図柄変動禁止フラグを解除する時間を計測するための図柄変動タイマ（図示せず）をセットし、変動パターン信号の出力に応じて保留球数を１デクリメントする。また保留手段１１０は、保留球の消費に応じて保留球数ＨがＨ＜４となった場合、第１抽選手段１０７で行われる始動チャッカー２７への入賞に応答した大当たり抽選の結果を保留球として記憶し、保留球数を１インクリメントする。
【００５７】
作動制御手段１１１は、作動決定手段１１３の作動開始決定の旨の信号に基づき、始動チャッカー開閉ソレノイド１１４に駆動信号を送って該ソレノイド１１４を作動させて始動チャッカー２７を開放又は閉塞動作させる。更に作動制御手段１１１は、アタッカー開閉ソレノイド１１５に駆動信号を送って該ソレノイド１１５を作動させ、第１抽選手段１０７での抽選による大当たり発生時にアタッカー５を開放して所定数入賞が終了する（又は所定時間が経過する）毎に閉塞する動作を所定回数（所定ラウンド）だけ繰り返すように制御する。
【００５８】
作動判定手段１１２は、始動チャッカー開閉ソレノイド１１４及びアタッカー開閉ソレノイド１１５を作動させるための条件を満たすか否かを判定する。つまり、始動チャッカー開閉ソレノイド１１４にあって、始動チャッカー２７の開閉の「条件を満たす」時とは、主基板７３において第１抽選手段１０７の大当たり抽選とは別途行われる抽選で当選した場合である。アタッカー開閉ソレノイド１１５にあって、アタッカー５の開放の「条件を満たす」時とは、所謂リーチ（所謂スーパーリーチ、ノーマルリーチを含む）の状態から３つの同じ図柄が大当たり有効ライン上で揃って大当たりが発生した場合であり、アタッカー５の閉塞の「条件を満たす」時とは、大当たり発生時における全ての入賞を完了した場合である。
【００５９】
作動決定手段１１３は、作動判定手段１１２からの判定信号を受けて、始動チャッカー開閉ソレノイド１１４、アタッカー開閉ソレノイド１１５の作動開始をそれぞれに決定する。
【００６０】
始動チャッカー開閉ソレノイド１１４は、作動制御手段１１１から送信された駆動信号に応答してプランジャ（図示せず）を進退動作させて、始動チャッカー２７を開閉動作させる。
【００６１】
アタッカー開閉ソレノイド１１５は、作動制御手段１１１から送信された駆動信号に応答してプランジャ（図示せず）を進退動作させて、アタッカー５を開閉動作させる。
【００６２】
一方、サブ基板７４は、画像表示、効果音等の演出、効果光等の表示制御を行うものであり、演出制御手段１１６及び表示制御手段１１８を有している。サブ基板７４には、放音装置１２、演出用照明装置１１、可動電飾装置８Ａ、及び図柄表示装置３５が接続されている。
【００６３】
演出制御手段１１６は、遊技制御手段１０９からの指令を契機として、放音装置１２を放音駆動し、演出用照明装置１１を発光駆動し、遊技者の聴覚や視覚に訴える演出を行う。
【００６４】
また演出制御手段１１６は、遊技制御手段１０９からの指令を契機として、可動電飾装置８Ａの駆動モータ５５，５３を作動させると共に、これらの作動時に電飾ランプ４７を発光駆動させるように制御する。該制御は、例えば、表示制御手段１１８の制御により図柄表示装置３５の画面上でリーチ演出が行われている際に、大当たり有効ライン上に並んだ２つの同図柄に向かって残り１つの同図柄が接近する状態が表示される所定のタイミングで実行される。すなわち、演出制御手段１１６は、遊技制御手段１０９から指令を受けた際、所定のタイミングで、駆動モータ５５，５３に作動信号を出力すると共に電飾ランプ４７に発光駆動信号を出力し、可動電飾装置８Ａの反射部材４５，４６を、電飾ランプ４７が例えば高輝度で発光する状態で、回動支軸４３，４４を中心として相対回動させるように作動させる。これにより、大当たりするかもしれないという強い期待感を、遊技者に抱かせることができる。
【００６５】
また、演出制御手段１１６は、大当たり予告時に、必ずしも電飾ランプ４７を高輝度発光させる演出に限らず、いわゆる信頼度が低い演出をする際には、電飾ランプ４７（後述の実施形態ではＬＥＤ９６）を低輝度、或いは中程度の輝度で発光させつつ、反射部材４５，４６（或いは後述の反射部材６１，１０１）を相対回動させる演出を行うことができ、これは、後述する他の実施形態においても同様である。なお、演出制御手段１１６は、遊技制御手段１０９からの指令（コマンド）を契機として可動電飾装置８Ａを作動制御する際、主基板７３側で決定される大当たりの当落に応じて可動電飾装置８Ａの演出内容を独立して組み替えするようにも機能する。
【００６６】
表示制御手段１１８は、遊技制御手段１０９からの信号に従って、図柄表示装置３５を駆動し、大当たり抽選結果を中心とした内容の演出を、遊技者の視覚に訴えるように演出表示する。
【００６７】
次に、本パチンコ機１による作用について、図５のフローチャートを併せて参照しつつ説明する。
【００６８】
すなわち、本パチンコ機１に対面して着座した遊技者が発射ハンドル２を握り、適宜の角度に回動操作すると（ステップＳ１）、発射装置（図示せず）の作動によって遊技球が所定の時間間隔で遊技領域３ａに向けて連続的に発射される。すると、遊技領域３ａに打ち出されて転動落下する多数の遊技球は、始動チャッカー２７や入賞口２５，２６に適時入賞し、或いは、これらに関与せずに転動落下して、遊技領域３ａ最下部のアウト口から遊技盤３背面側に排出される。
【００６９】
つまり、遊技領域３ａに向けて打ち出された多数の遊技球は、その一部がワープ導入口３７から導入されて、放出口６７から遊技球ステージＳ上に放出され、その一部が球放出口４９から放出されて始動チャッカー２７に向け落下し、この始動チャッカー２７に高確率で入賞する。この際、障害釘３０への当接状況によっては、始動チャッカー２７に入賞できないこともある。一方、球放出口４９からではなく遊技球ステージＳから直接に落下する遊技球は、始動チャッカー２７と異なる方向に向かう。この際、当該遊技球は、落下方向が、始動チャッカー２７上の一対の障害釘３０の間を通過して入球し得る方向と異なっても、障害釘３０の左右に打ち込まれた所謂ジャンプ釘（図示せず）や、このジャンプ釘から左右方向に配列された道釘（図示せず）で弾き返されることで、障害釘３０に絡んでその間を落下して始動チャッカー２７に入球することもある。
【００７０】
ところで、上述したように始動チャッカー２７や入賞口２５，２６の何れかに遊技球が入賞した場合、入賞判定手段１０５が当該入賞を判定し、且つ入賞信号出力手段１０６が入賞信号を出力する（ステップＳ２）。この際、保留手段１１０は、保留球Ｈが０＜Ｈ＜５であるか否かを常時判定しており、０＜Ｈ＜５を満たすと判定したときには、保留している変動パターン信号を、遊技制御手段１０９を介して表示制御手段１１８に順次送信し、図柄変動禁止フラグをオンすると共に、図柄変動タイマをセットし、変動パターン信号の送信に応じて保留球数を１デクリメントする。また保留手段１１０は、当該保留球の消費に応じて保留球数ＨがＨ＜４となった場合、第１抽選手段１０７で行われる始動チャッカー２７への入賞に応じた大当たり抽選の結果を保留球として記憶し、保留球数を１インクリメントする。
【００７１】
そして、大当たり抽選で当選した場合（ステップＳ３）、第１抽選手段１０７が当たりフラグをオンすると、第２抽選手段１０８が、演出用メモリに格納された演出乱数値に基づく抽選で、大当たりの種別、つまり確変当たり又は通常当たりに対応する変動パターンを決定する。
【００７２】
これにより、ステップＳ４において、図柄表示装置３５に表示されるべき当たり図柄がセットされ、第２抽選手段１０８は、その旨の変動パターン信号を出力すると共に、当該変動パターン信号に基づく演出表示が終了するまでは次の変動パターン信号を送信しないようにするために図柄変動禁止フラグをオンし、当該オンした図柄変動禁止フラグを解除する時間を計測するための図柄変動タイマをセットし、変動パターン信号の送信に応じて保留球数を１デクリメントする。一方、大当たり抽選で外れた場合には、演出用メモリに格納された演出乱数値に基づく抽選で、変動の結果、外れに対応する図柄が最終的に揃う旨の変動パターンが決定される。これにより、図柄表示装置３５に表示される外れ図柄がセットされ、第２抽選手段１０８は、その旨の変動パターン信号を出力すると共に、図柄変動禁止フラグをオンし、図柄変動タイマをセットし、変動パターン信号の送信に応じて保留球数を１デクリメントする。
【００７３】
以上のようにして、遊技制御手段１０９が、演出内容に関する信号をサブ基板７４の表示制御手段１１８に送信することに基づき、表示制御手段１１８が、図柄表示装置３５を適時駆動し、大当たり抽選結果に関する内容等を、遊技者の視覚に訴えるように演出表示することとなる（ステップＳ５）。
【００７４】
その場合、例えば、図柄表示装置３５の画面上でリーチ演出が行われている際に、大当たり有効ライン上に並んだ２つの同図柄に向かって残り１つの同図柄が接近するタイミングで、演出制御手段１１６が、電飾ランプ４７を発光させた状態で駆動モータ５５，５３を作動させる。これにより、可動電飾装置８Ａの反射部材４５，４６が、電飾ランプ４７を例えば高輝度で発光させながら交互に相対回動するので、遊技者は、それまでの状態とは異なる動きをする可動電飾装置８Ａを認識することで、進行中のスーパーリーチで大当たりするかもしれないという強い期待感を抱きつつ遊技することになる。
【００７５】
そして、例えば、図柄表示装置３５の大当たり有効ライン上で３つの同図柄が揃った場合、作動制御手段１１１は、作動決定手段１１３の作動開始決定の旨の信号に基づき、所定のタイミングでアタッカー開閉ソレノイド１１５に駆動信号を送り、当該ソレノイド１１５を作動させてアタッカー５を開放し、所定数入賞が終了する（又は所定時間が経過する）毎に閉塞する動作を所定回数（所定ラウンド）だけ繰り返させる。これにより、アタッカー５に入賞した遊技球に対応する多量の遊技球が、球供給口１７から皿ユニット１６に払い出されることとなる（ステップＳ６）。
【００７６】
以上説明したように本第１の実施形態では、それぞれに湾曲状の反射面４５ａ，４６ａを有する反射部材４５，４６を一軸状に配列して備えるので、従来のような断面ノコギリ歯状の反射面を不要としながらも、電飾ランプ４７を発光させて反射面４５ａ，４６ａで前扉前方に反射させた状態で、反射部材４５，４６からなる２つの反射部材群が共通の回動支軸４４，４３を中心に相対回動することにより、遊技者にとってより変化のある多様な電飾効果を実現することができる。また、電飾ランプ４７は、指向性のない光を周囲に発散させるため、当該光が、前扉前方に直接的に照射されると共に反射面４５ａ，４６ａで反射して前扉前方に照射されることとなり、従って、電飾効果がより向上する。
【００７７】
そして、断面ノコギリ歯状の反射面が不要になったことで、プラスチック材料等を用いる射出成形が、従来に比して適度の精度の比較例簡略な工程で足りることとなる。更に、その後の蒸着工程においても、湾曲状の反射面４５ａ，４６ａをむら無くメッキする工程が簡略になり、従って、製造工程を簡素化し、コストダウンを図ることができる。
【００７８】
また、本実施形態では、各電飾ランプ４７が反射部材４５，４６にそれぞれ一体的に配設されるので、電飾ランプ４７を一体的に有する反射部材４５，４６を単に回動動作させるだけで、変化のある多様な電飾効果が実現できる。従って、可動電飾装置８Ａ全体の作動を簡素化できると共に、電飾ランプ４７と反射部材４５，４６とを別体にした場合に比して設置スペースを節約し、可動電飾装置８Ａのコンパクト化に寄与することができる。
【００７９】
＜第２の実施の形態＞
ついで、本発明に係る第２の実施の形態を図６ないし図１０に沿って説明する。本第２の実施形態は、図１ないし図５に示した先の第１の実施形態に比して、可動電飾装置８Ｂの構造、即ち反射部材４５，４６の駆動機構及び発光体の設置位置等は異なるが、パチンコ機１における他の部分は略々同一なので、主要部分に同一符号を付してその説明を省略する。なお、図６は、本第２の実施形態の可動電飾装置８Ｂをパチンコ機１から取り外した状態で示す斜視図、図７及び図８は、それぞれ本実施形態の可動電飾装置８Ｂを背面側から見た状態で示す斜視図及び背面図、図９は、本実施形態の駆動装置の一部を示す斜視図、図１０は該駆動装置を示す図であり、同図（ａ）は図８のＢ−Ｂ線矢視図、同図（ｂ）は図８のＣ−Ｃ線矢視図である。
【００８０】
本実施形態の可動電飾装置８Ｂは、先の第１の実施形態と同様、それぞれに湾曲状の反射面４５ａ，４６ａを有する２群の反射部材４５，４６と、それら反射部材４５，４６のそれぞれに対応する５個のＬＥＤ９６とを有しており、該ＬＥＤ９６の発光駆動状態にて反射部材４５，４６が回動動作するように構成されている。
【００８１】
すなわち、可動電飾装置８Ｂは、図６に示すように、前扉７の上部中央に装着されたカバー部８ａを有しており、カバー部８ａの前部に位置する透明カバー（図示せず）内方に、３個の反射部材４５及び２個の反射部材４６を有している。これら反射部材４５，４６は、それぞれの前側に、前扉７の上下方向にて湾曲する反射面４５ａ，４６ａを有する本体４５ｂ，４６ｂを有している。３個の反射部材４５及び２個の反射部材４６は、図６ないし図８の左右方向に延びる軸Ａを中心として相対回動し得るように、交互に且つ一軸状に配列されている。
【００８２】
本実施の形態では、発光体としてのＬＥＤ９６が、反射部材４５，４６の反射面４５ａ，４６ａそれぞれの上端部に装着されている。それらＬＥＤ９６は、本実施の形態においては、５個全てに、赤、緑、青（ＲＧＢ）の光３原色を単一のパッケージ内に収容したフルカラーＬＥＤ（つまり、ＲＧＢを組み合わせた赤、緑、青に加え、赤紫、白、水色、黄色を有し、かつこれらに階調を加えたタイプのＬＥＤ）を適用している。
【００８３】
しかし、上記フルカラーＬＥＤに代えて、３色タイプ（例えば赤、緑、オレンジ（黄）の３色表示のタイプ）や、７色タイプ（ＲＧＢを組み合わせた赤、緑、青に赤紫、白、水色、黄色を加えた７色表示タイプ）のＬＥＤを適用することも可能である。また、単色タイプ（赤やオレンジ等の１色表示タイプ）のＬＥＤを、反射部材４５の群と反射部材４６の群とで互いに発光色が異なるように区分けして装着すること、或いは、反射部材４５，４６の全てに異なる発光色のＬＥＤを装着することも可能である。これらのように、どのタイプのＬＥＤを装着し、配色をどのように変えるかによって、様々なタイプの発光態様を有する、より変化のある多彩な電飾効果を得ることができる。なお、このようにＬＥＤの種類を選択的に装着する手法は、後述する他の実施の形態においても同様である。
【００８４】
また、図７及び図８に示すように、カバー部８ａは、両図の左右方向に長い略箱体状に形成されており、内方の両端部に駆動装置６５，６６を有している。駆動装置６５，６６の間には、上述した反射部材４５，４６が一軸状に配置されており、これら反射部材４５，４６の背面には、上下方向に間隔をあけた状態で３箇所の支持部９２に回転自在に支持される回転伝達軸７２，７５が互いに平行に左右方向に延在している。なお、図７及び図８における符号６０は、カバー部８ａの背面側に固定される支持バーである。
【００８５】
駆動装置６５は、図７ないし図１０に示すように、駆動モータ７８と、該モータ７８の回転軸に固定された駆動ローラ７９と、この駆動ローラ７９に摩擦係合する大径ローラ８０と、該ローラ８０と軸を共通にする小径ローラ８１と、これらローラ８０，８１の中間の径を有し且つ該ローラ８１に摩擦係合する中間ローラ８２と、回転伝達軸７２の一端に連結された状態で中間ローラ８２に摩擦係合するローラ８３とを備えている。これら駆動モータ７８やローラ８０，８１，８２は、カバー部８ａの内面に固定されたブラケット９４に支持されている。
【００８６】
この構成において、駆動モータ７８及びＬＥＤ９６は、先の実施形態で図４に示した演出制御手段１１６によって制御することができる。その場合、該演出制御手段１１６の制御で、駆動モータ７８が、予め設定された所定回転角ずつ正方向と逆方向とに切り換えられつつ回転駆動すると、それら正回転、逆回転は、駆動ローラ７９からローラ８０，８１，８２を介して減速されてローラ８３に伝えられ、回転伝達軸７２を回転させる。これにより、回転伝達軸７２の両端部及びその中間に取り付けられたローラ７６ａ，７６ｂ，７６ｃから、３個の反射部材４５の各背面に形成された円弧状摩擦面９０ａ，９０ｂ，９０ｃを介して、各反射部材４５に、軸Ａを中心とした正方向、逆方向の回動力として伝達される。
【００８７】
また駆動装置６６は、駆動モータ８４と、該モータ８４の回転軸に固定された駆動ローラ８５と、この駆動ローラ８５に摩擦係合する大径ローラ８６と、該ローラ８６と軸を共通にする小径ローラ８７と、これらローラ８６，８７の中間の径を有し且つ該ローラ８７に摩擦係合する中間ローラ８８と、回転伝達軸７５の一端に連結された状態で中間ローラ８８に摩擦係合するローラ８９とを備えている。これら駆動モータ８４やローラ８６，８７，８８は、カバー部８ａの内面に固定されたブラケット９５に支持されている。
【００８８】
この構成において、駆動装置６６も、上記演出制御手段１１６によって制御することができ、その場合、該演出制御手段１１６の制御で、駆動モータ８４が、所定回転角ずつ正方向と逆方向とに切り換えられつつ回転駆動すると、それら正回転、逆回転は、駆動装置６５側と同様にローラ８９に伝えられ、回転伝達軸７５を回転させる。これにより、回転伝達軸７５の両端部及びその中間に取り付けられたローラ７７ａ，７７ｂから、２個の反射部材４６の各背面に形成された円弧状摩擦面９１ａ，９１ｂを介して、各反射部材４６に、軸Ａを中心とした正方向、逆方向の回動力として伝達される。
【００８９】
以上の本第２の実施形態によると、演出制御手段１１６の制御で、ＬＥＤ９６が例えば高輝度で発光しその光が反射面４５ａ，４６ａで前扉前方に反射される状態において、可動電飾装置８Ａの反射部材４５，４６が軸Ａを中心に交互に相対回動させられて、上述した第１の実施形態と同様の効果が得られることに加え、発光体として、指向性の高いＬＥＤ９６を、しかもフルカラーＬＥＤを用いたことで、一層変化のある多彩な電飾効果を実現することができる。
【００９０】
＜第３の実施の形態＞
次に、本発明に係る第３の実施の形態を図１１及び図１２に沿って説明する。本第３の実施形態は、先の第１及び第２の実施形態に比して、発光体の設置位置は異なるが、パチンコ機１における他の部分は略々同一なので、主要部分に同一符号を付してその説明を省略する。なお、図１１は、本第３の実施形態におけるパチンコ機１の外部構造を示す正面図、図１２は可動電飾装置８Ｃを前扉７から取り外した状態で示す斜視図である。
【００９１】
すなわち、本第３の実施形態の可動電飾装置８Ｃは、先の実施形態と同様に前扉７上部に配設されているが、第１及び第２の実施形態では電飾ランプ４７、ＬＥＤ９６が反射部材４５，４６に一体的に配設されていたのに対し、各ＬＥＤ９６が反射部材４５，４６の各対向位置にて光投射側を反射面４５ａ，４６ａに向けた状態で配設される点で異なる。つまり、図１１及び図１２に示すように、５個のＬＥＤ９６が、第１の実施形態と同様の機構にて交互に相対回動する反射部材４５，４６とは別に、合計５個の反射部材４５，４６にそれぞれ対向するように前扉７上部に列状に固定されている。
【００９２】
したがって、本第３の実施形態によると、上述の第１及び第２の実施形態と同様の効果が得られると共に、各ＬＥＤ９６が反射部材４５，４６の各対向位置にそれぞれ配設されることにより、ＬＥＤ９６そのものを可動させないことで、ＬＥＤ９６に接続されるべき電気的接続ケーブル（ハーネス）の配設構造がよりシンプルとなり、接続ケーブルの捻れ等に起因する不都合の発生を減少できる、という効果が得られる。
【００９３】
＜第４の実施の形態＞
ついで、本発明に係る第４の実施の形態を図１３及び図１４に沿って説明する。本第４の実施形態は、先の第１及び第２の実施形態に比して、反射部材及び発光体の構成は異なるが、パチンコ機１における他の部分は略々同一なので、主要部分に同一符号を付してその説明を省略する。なお、図１３は、本第４の実施形態におけるパチンコ機１の外部構造を示す正面図、図１４は可動電飾装置８Ｄを前扉７から取り外した状態で示す斜視図である。
【００９４】
すなわち、第１及び第２の実施形態では、相対回動可能に一軸状に配列した２群からなる反射部材４５，４６と、反射部材４５，４６又は前扉上部に設けられた電飾ランプ４７又はＬＥＤ９６を備えていたのに対し、本第４の実施形態の可動電飾装置８Ｄは、先の実施形態と同様に前扉７上部に配設されるものの、反射部材６１は、一方向（図１３の左右方向）に延びる１つの反射面（湾曲状反射面）６１ａを有してなり、ＬＥＤ９６は、反射部材６１の長手方向（図１３の左右方向）に沿って配列された５個からなり、これらＬＥＤ９６が発光状態で反射面６１ａに対し上下移動するように構成されている。
【００９５】
また、上記ＬＥＤ９６を上下方向に移動させる駆動構造は、図１４に示すようになっている。すなわち、反射部材６１が、長手方向を図の左右に沿わせ且つ反射面６１ａを前方に向けた状態で前扉７上部に固定されており、反射面６１ａに対向し且つ反射部材６１の長手方向に沿って延びる軸６２に、５個のＬＥＤ９６が、光投射側を反射面６１ａに向けた状態で一定間隔をあけて固定されている。前扉７の上部には、可動電飾装置８Ｄの反射部材６１及び５個のＬＥＤ９６を収容する収容部４０が設けられており、この収容部４０の両端の壁部９７，９７には、上下方向に長く形成された案内溝９７ａ，９７ａが形成されている。これら案内溝９７ａ，９７ａには、軸６２の両端部がそれぞれ摺動自在に挿入されており、軸６２の両端部には、案内溝９７ａ，９７ａに沿った昇降移動時に軸６２の回転を規制してＬＥＤ９６の姿勢を維持するための膨出部６２ａ，６２ａが形成されている。
【００９６】
また壁部９７，９７の内方には、それぞれ、不図示の支持機構により駆動モータ（図示せず）からの回転が回転軸１００ａに伝達されるように支持された回転板１００が配置されている。これら回転板１００は、反射部材６１の上端部とほぼ同じレベルになるように配置されており、各回転板１００の外径側縁部には、反射部材６１側の面にリンク９８の一端がピン９９で回転自在に連結されている。各リンク９８の他端には連結孔９８ａが形成されており、それら連結孔９８ａは、一端側のピン９９が図１４のような最下点にある状態で、支軸６２の両端部に回転自在に連結される。
【００９７】
したがって、上記駆動構造により、可動電飾装置８Ｄでは、不図示の駆動モータの回転を受けて回転板１００が矢印Ｄ方向に連続回転すると、リンク９８が回転板１００の略直径分だけ上下に昇降移動して支軸６２を牽引／押下するので、支軸６２の両端部が案内溝９７ａ，９７ａ内で摺動されつつ、５個のＬＥＤ９６が、図１３中の破線と実線で示すように、反射面６１ａに対向する形で上下に昇降移動させられる。
【００９８】
したがって、本第４の実施形態によると、上述の第１及び第２の実施形態とほぼ同様の効果が得られると共に、一方向に延びる１つの反射面６１ａを有する反射部材６１を備えるので、従来のような断面ノコギリ歯状の反射面を不要としながらも、反射部材６１の軸方向に沿って設けられたＬＥＤ９６を発光させつつ反射面６１ａに対し移動させることができ、より変化のある多様な電飾効果が実現できる。
【００９９】
＜第５の実施の形態＞
ついで、本発明に係る第５の実施の形態を図１５に沿って説明する。本第５の実施形態は、先の第１及び第２の実施形態に比して、反射部材及び発光体の構成は異なるが、パチンコ機１における他の部分は略々同一なので、主要部分に同一符号を付してその説明を省略する。なお、図１５は、本第５の実施形態におけるパチンコ機１の外部構造を示す正面図である。
【０１００】
すなわち、本第５の実施形態では、前扉７の上部に備えた可動電飾装置８Ｅを、図１３に示した可動電飾装置８Ｄにおける、反射部材６１の長手方向に沿って配列された５個のＬＥＤ９６を発光状態で反射面６１ａに対して上下移動させる構成を残しつつ、反射部材６１の方も左右の回動軸６８，６８にて前扉７上部に回動自在に支持する構成としている。つまり、本第５の実施形態の可動電飾装置８Ｅは、一方向に延びる１つの湾曲状反射面６１ａを有する反射部材６１と、該反射部材６１の長手方向に沿って設けられたＬＥＤ（発光体）９６とを有し、発光状態の該ＬＥＤ９６と反射面（湾曲状反射面）６１ａとが相対移動するように構成される。
【０１０１】
したがって、本第５の実施形態によると、上述の第５の実施形態と同様の効果が得られると共に、発光状態のＬＥＤ９６と湾曲状の反射面６１ａとが相対移動することにより、互いの動作の組み合わせ方によって極めて新奇で興趣の高い電飾効果を実現することできるようになる。
【０１０２】
＜第６の実施の形態＞
次に、本発明に係る第６の実施の形態を図１６及び図１７に沿って説明する。本第６の実施形態は、先の第４の実施形態に比して、反射部材及び発光体の構成は異なるが、パチンコ機１における他の部分は略々同一なので、主要部分に同一符号を付してその説明を省略する。なお、図１６は、本第６の実施形態におけるパチンコ機１の外部構造を示す正面図、図１７は可動電飾装置８Ｆを前扉７から取り外した状態で示す斜視図である。
【０１０３】
本第６の実施形態においては、第４の実施形態で固定型であった反射部材６１を回動型に構成し、かつ第４の実施形態で反射部材６１と別に配置していたＬＥＤ９６を反射面に装着して構成している。すなわち、本第６の実施形態の可動電飾装置８Ｆは、軸方向に延びる１つの反射面（湾曲状反射面）１０１ａを有する反射部材１０１と、該反射部材１０１の軸方向に沿って並ぶ形で反射面１０１ａに固定された７個のＬＥＤ６３とを有しており、これらＬＥＤ６３の発光駆動状態にて反射部材１０１が軸６６を中心に回動するように構成される。反射部材１０１には、演出制御手段１１６の制御による不図示の駆動モータからの回転が、不図示の伝達機構を介して伝達される。
【０１０４】
したがって、本第６の実施形態によると、上述の第１及び第２の実施形態とほぼ同様の効果が得られると共に、軸方向に延びる１つの反射面１０１ａを有する反射部材１０１を備えるので、従来のような断面ノコギリ歯状の反射面を不要としながらも、反射部材１０１の軸方向に沿うように反射面１０１ａに固定されたＬＥＤ６３を発光させつつ反射部材１０１を回動動作させることができ、より変化のある多様な電飾効果を実現することができる。
【０１０５】
以上、本発明をその好適な実施の形態に基づいて説明したが、本発明の遊技機は、上記実施形態の構成にのみ限定されるものではなく、上記実施形態の構成から種々の修正及び変更を施した遊技機も、本発明の範囲に含まれる。
【図面の簡単な説明】
【０１０６】
【図１】本発明に係る第１実施形態におけるパチンコ機の外部構造を示す正面図である。
【図２】第１実施形態の可動電飾装置を前扉から取り外した状態で示す斜視図である。
【図３】第１実施形態における軸と反射部材との接合関係を示す正面断面図である。
【図４】パチンコ機の制御系を示すブロック図である。
【図５】パチンコ機の作用を説明するためにフローチャートである。
【図６】本発明に係る第２実施形態の可動電飾装置をパチンコ機から取り外した状態で示す斜視図である。
【図７】第２実施形態の可動電飾装置を背面側から見た状態で示す斜視図である。
【図８】第２実施形態の可動電飾装置を背面側から見た状態で示す背面図である。
【図９】第２実施形態の駆動装置の一部を示す斜視図である。
【図１０】第２実施形態の駆動装置を示す図であり、同図（ａ）は図８のＢ−Ｂ線矢視図、同図（ｂ）は図８のＣ−Ｃ線矢視図である。
【図１１】本発明に係る第３実施形態におけるパチンコ機の外部構造を示す正面図である。
【図１２】第３実施形態の可動電飾装置を前扉から取り外した状態で示す斜視図である。
【図１３】本発明に係る第４実施形態におけるパチンコ機の外部構造を示す正面図である。
【図１４】第４実施形態の可動電飾装置を前扉から取り外した状態で示す斜視図である。
【図１５】本発明に係る第５実施形態におけるパチンコ機の外部構造を示す正面図である。
【図１６】本発明に係る第６実施形態におけるパチンコ機の外部構造を示す正面図である。
【図１７】第６実施形態の可動電飾装置を前扉から取り外した状態で示す斜視図である。
【符号の説明】
【０１０７】
１：遊技機（パチンコ機）
３：遊技盤
３ａ：遊技領域
６：筐体
７：前扉
８Ａ，８Ｂ，８Ｃ，８Ｄ，８Ｅ，８Ｆ：電飾装置（可動電飾装置）
４３，４４：軸（回動支軸）
４５，４６：反射部材
４５ａ，４６ａ：反射面
４７：発光体（電飾ランプ）
６１：反射部材
６１ａ：湾曲状反射面（反射面）
６３：発光体（ＬＥＤ）
６６：軸
９６：発光体（ＬＥＤ）
１０１：反射部材
１０１ａ：湾曲状反射面（反射面）
Ａ：軸
Ｂａ：遊技球
【図１】
2007000547.tif 000003
【図２】
2007000547.tif 000004
【図３】
2007000547.tif 000005
【図４】
2007000547.tif 000006
【図５】
2007000547.tif 000007
【図６】
2007000547.tif 000008
【図７】
2007000547.tif 000009
【図８】
2007000547.tif 000010
【図９】
2007000547.tif 000011
【図１０】
2007000547.tif 000012
【図１１】
2007000547.tif 000013
【図１２】
2007000547.tif 000014
【図１３】
2007000547.tif 000015
【図１４】
2007000547.tif 000016
【図１５】
2007000547.tif 000017
【図１６】
2007000547.tif 000018
【図１７】
2007000547.tif 000019